(57)【要約】【課題】表示されている設定項目の設定値を変更するとともに非表示の設定項目の設定値を変更する場合に、非表示の設定項目を表示する操作を必要とする構成と比較して、少ない操作回数で変更することができる情報処理装置及びプログラムを提供する。【解決手段】情報処理装置は、非表示の特定の設定項目（Ｂ）に関連する他の設定項目（Ｅ）に対して操作がされたとき、特定の設定項目（Ｂ）の設定値（ｂ２）を変更可能に表示するよう制御する表示制御手段を備える。【選択図】図５Ａ
2019003491.tif 000002
【特許請求の範囲】
【請求項１】
非表示の特定の設定項目に関連する他の設定項目に対して操作がされたとき、前記特定の設定項目の設定値を変更可能に表示するよう制御する表示制御手段を備えた情報処理装置。
【請求項２】
前記表示制御手段は、前記特定の設定項目を前記他の設定項目とは異なる態様で表示するよう制御する、
請求項１に記載の情報処理装置。
【請求項３】
前記表示制御手段は、前記異なる態様として、前記特定の設定項目を前記他の設定項目が表示されている第１領域とは異なる第２領域に表示し、少なくとも前記第１領域の一部と前記第２領域を同時に表示するよう制御する、
請求項２に記載の情報処理装置。
【請求項４】
前記表示制御手段は、前記特定の設定項目を前記第１領域に重なるように配置された前記第２領域に表示するよう制御する、
請求項３に記載の情報処理装置。
【請求項５】
前記表示制御手段は、前記他の設定項目を表示している前記第１領域を変形又は移動させて前記特定の設定項目を表示する前記第２領域を確保し、前記第２領域に前記特定の設定項目を表示するよう制御する、
請求項３に記載の情報処理装置。
【請求項６】
前記特定の設定項目は、標準が表示するものとなっている設定項目から編集により非表示とされたものである、
請求項１から５のいずれか１項に記載の情報処理装置。
【請求項７】
前記表示制御手段は、前記特定の設定項目を前記他の設定項目を表示する画面構成を変更して前記他の設定項目に隣接する位置に挿入して表示するよう制御する、
請求項１から６のいずれか１項に記載の情報処理装置。
【請求項８】
前記表示制御手段は、画面の表示領域を移動させることで前記特定の設定項目の設定値を変更可能に表示するよう制御する、
請求項１から６のいずれか１項に記載の情報処理装置。
【請求項９】
前記表示制御手段は、前記設定値が変更可能に表示された前記特定の設定項目の設定値が変更された後、前記画面構成を前記特定の設定項目を表示する前に戻す、
請求項５又は７に記載の情報処理装置。
【請求項１０】
前記表示制御手段は、前記設定値が変更可能に表示された前記特定の設定項目の設定値が変更された後、前記特定の設定項目を非表示とする、
請求項１から９のいずれか１項に記載の情報処理装置。
【請求項１１】
前記特定の設定項目に関連する前記他の設定項目は、前記特定の設定項目の設定値が、操作された前記他の設定項目の設定値に関連して操作される頻度が高いものとして登録されているものである、
請求項１から１０のいずれか１項に記載の情報処理装置。
【請求項１２】
前記特定の設定項目に関連する他の設定項目は、互いに競合する設定値を有する、
請求項１から１０のいずれか１項に記載の情報処理装置。
【請求項１３】
コンピュータを、
非表示の特定の設定項目に関連する他の設定項目に対して操作がされたとき、前記特定の設定項目の設定値を変更可能に表示するよう制御する表示制御手段として、
機能させるためのプログラム。
【発明の詳細な説明】
【技術分野】
【０００１】
本発明は、情報処理装置及びプログラムに関する。
【背景技術】
【０００２】
近年、提供された処理機能で用いる情報の設定をより簡便に行うことを可能にした画像形成装置が提案されている（例えば、特許文献１参照。）。
【０００３】
特許文献１に記載された画像形成装置は、操作者を識別する操作者識別手段と、操作者識別手段によって識別した操作者による操作画面を構成する各設定項目の利用状態を解析する解析手段と、解析手段によって解析された利用状態に基づいて操作画面上に表示する１または複数の設定項目を決定する決定手段と、決定手段により決定された１または複数の設定項目により構成される操作画面を生成する画面生成手段と、操作者による操作画面の操作を検出する操作検出手段と、操作画面の設定項目のうち、操作検出手段で検出した操作における操作対象の設定項目に対して利用状態を管理する状態管理手段とを備え、状態管理手段は、設定項目に対する利用状態として当該設定項目の操作回数を管理し、解析手段は、操作画面を構成する各設定項目の操作回数を計数し、画面生成手段は、解析手段によって解析された操作回数が一定回数未満となる設定項目を非表示とし、該設定項目以外の他の設定項目により構成される操作画面を生成する。
【先行技術文献】
【特許文献】
【０００４】
【特許文献１】特開２０１０−２０１８１４号公報
【発明の概要】
【発明が解決しようとする課題】
【０００５】
本発明の課題は、表示されている設定項目の設定値を変更するとともに非表示の設定項目の設定値を変更する場合に、非表示の設定項目を表示する操作を必要とする構成と比較して、少ない操作回数で変更することができる情報処理装置及びプログラムを提供することにある。
【課題を解決するための手段】
【０００６】
［１］非表示の特定の設定項目に関連する他の設定項目に対して操作がされたとき、前記特定の設定項目の設定値を変更可能に表示するよう制御する表示制御手段を備えた情報処理装置。
［２］前記表示制御手段は、前記特定の設定項目を前記他の設定項目とは異なる態様で表示するよう制御する、前記［１］に記載の情報処理装置。
［３］前記表示制御手段は、前記異なる態様として、前記特定の設定項目を前記他の設定項目が表示されている第１領域とは異なる第２領域に表示し、少なくとも前記第１領域の一部と前記第２領域を同時に表示するよう制御する、前記［２］に記載の情報処理装置。
［４］前記表示制御手段は、前記特定の設定項目を前記第１領域に重なるように配置された前記第２領域に表示するよう制御する、前記［３］に記載の情報処理装置。
［５］前記表示制御手段は、前記他の設定項目を表示している前記第１領域を変形又は移動させて前記特定の設定項目を表示する前記第２領域を確保し、前記第２領域に前記特定の設定項目を表示するよう制御する、前記［３］に記載の情報処理装置。
［６］前記特定の設定項目は、標準が表示するものとなっている設定項目から編集により非表示とされたものである、前記［１］から［５］のいずれかに記載の情報処理装置。
［７］前記表示制御手段は、前記特定の設定項目を前記他の設定項目を表示する画面構成を変更して前記他の設定項目に隣接する位置に挿入して表示するよう制御する、前記［１］から［６］のいずれかに記載の情報処理装置。
［８］前記表示制御手段は、画面の表示領域を移動させることで前記特定の設定項目の設定値を変更可能に表示するよう制御する、前記［１］から［６］のいずれかに記載の情報処理装置。
［９］前記表示制御手段は、前記設定値が変更可能に表示された前記特定の設定項目の設定値が変更された後、前記画面構成を前記特定の設定項目を表示する前に戻す、前記［５］又は［７］に記載の情報処理装置。
［１０］前記表示制御手段は、前記設定値が変更可能に表示された前記特定の設定項目の設定値が変更された後、前記特定の設定項目を非表示とする、前記［１］から［９］のいずれかに記載の情報処理装置。
［１１］前記特定の設定項目に関連する前記他の設定項目は、前記特定の設定項目の設定値が、操作された前記他の設定項目の設定値に関連して操作される頻度が高いものとして登録されているものである、前記［１］から［１０］のいずれかに記載の情報処理装置。
［１２］前記特定の設定項目に関連する他の設定項目は、互いに競合する設定値を有する、前記［１］から［１０］のいずれかに記載の情報処理装置。
［１３］コンピュータを、非表示の特定の設定項目に関連する他の設定項目に対して操作がされたとき、前記特定の設定項目の設定値を変更可能に表示するよう制御する表示制御手段として、機能させるためのプログラム。
【発明の効果】
【０００７】
請求項１、１１−１３に係る発明によれば、表示されている設定項目の設定値を変更するとともに非表示の設定項目の設定値を変更する場合に、非表示の設定項目を表示する操作を必要とする構成と比較して、少ない操作回数で変更することができる。
請求項２−５に係る発明によれば、他の設定項目とは異なる態様で表示された特定の設定項目は、他の設定項目と同じ態様で表示する場合よりも分かり易い。
請求項６に係る発明によれば、非表示にするのと同様の操作で特定の設定項目を表示することができる。
請求項７に係る発明によれば、特定の設定項目の表示位置が他の位置に表示される場合よりも分かり易い。
請求項８に係る発明によれば、画面を移動するスクロール操作により特定の設定項目を表示することができる。
請求項９に係る発明によれば、特定の設定項目が表示された後、画面構成を元に戻す手間を省くことができる。
請求項１０に係る発明によれば、表示された特定の設定項目を非表示に戻す手間を省くことができる。
【図面の簡単な説明】
【０００８】
【図１】図１は、本発明の第１の実施の形態に係る画像形成装置の制御系を示すブロック図である。
【図２】図２は、設定情報の一例を示す図である。
【図３】図３は、コンフリクト情報の一例を示す図である。
【図４】図４（ａ）は、メニュー画面の一例を示す図、図４（ｂ）は、コピー設定画面の一例を示す図である。
【図５Ａ】図５（ａ）〜（ｃ）は、コピー設定画面の一例を示す図である。
【図５Ｂ】図５（ｄ）〜（ｆ）は、コピー設定画面の一例を示す図である。
【図６】図６（ａ）、（ｂ）は、第１の実施の形態に係る変形例１のコピー設定画面の一例を示す図である。
【図７】図７（ａ）、（ｂ）は、第１の実施の形態に係る変形例２のコピー設定画面の一例を示す図である。
【図８】図８（ａ）〜（ｄ）は、第１の実施の形態に係る変形例３のコピー設定画面の一例を示す図である。
【図９】図９（ａ）、（ｂ）は、第１の実施の形態に係る変形例４のコピー設定画面の一例を示す図である。
【図１０】図１０（ａ）〜（ｃ）は、第１の実施の形態に係る変形例５のコピー設定画面の一例を示す図である。
【図１１】図１１（ａ）、（ｂ）は、第１の実施の形態に係る変形例６のコピー設定画面の一例を示す図である。
【図１２】図１２（ａ）、（ｂ）は、第１の実施の形態に係る変形例７のコピー設定画面の一例を示す図である。
【図１３】図１３は、本発明の第２の実施の形態に係る図であり、図１３（ａ）は、メニュー画面の一例を示す図、図１３（ｂ）は、コピー設定画面の一例を示す図である。
【図１４】図１４（ａ）〜（ｃ）は、第２の実施の形態に係るコピー設定画面の一例を示す図である。
【図１５】図１５（ａ）、（ｂ）は、第２の実施の形態に係る変形例１のコピー設定画面の一例を示す図である。
【図１６】図１６（ａ）、（ｂ）は、第２の実施の形態に係る変形例２のコピー設定画面の一例を示す図である。
【図１７】図１７（ａ）、（ｂ）は、第２の実施の形態に係る変形例３のコピー設定画面の一例を示す図である。
【図１８】図１８は、本発明の第３の実施の形態に係るメニュー画面の一例を示す図である。
【図１９】図１９は、第３の実施の形態に係る非表示設定画面の一例を示す図である。
【図２０】図２０は、第３の実施の形態に係るスキャン設定画面の一例を示す図である。
【図２１】図２１は、第３の実施の形態に係るスキャン設定画面の一例を示す図である。
【図２２】図２２は、第３の実施の形態に係るスキャン設定画面の一例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。また、情報処理装置の一例として画像形成装置について説明する。
【００１０】
［実施の形態の要約］
本発明の実施の形態に係る画像形成装置は、非表示の特定の設定項目に関連する他の設定項目に対して操作がされたとき、前記特定の設定項目の設定値を変更可能に表示するよう制御する表示制御手段を備える。
【００１１】
「特定の設定項目」とは、非表示に設定されている設定項目をいう。「設定項目」とは、画像形成装置が有する機能を実行する際の条件を構成するものであり、通常は複数の設定項目がある。例えば、機能の一例である「コピー」を実行する際の条件を構成する設定項目には、例えば、白黒モード／カラーモード、通常スキャン／印画紙スキャン、用紙サイズ、倍率、コピー濃度、片面／両面、１頁に印刷する画像数（Ｎｉｎ１）、印刷部数、用紙の方向等がある。「設定値」とは、設定項目を特定する選択肢又は入力値をいう。
【００１２】
「関連する」とは、両者の設定項目の初期値が関連する場合、及び両者の設定項目が関連する設定値を有する場合をいう。
「関連する」場合には、例えば、以下の場合がある。
（ａ）特定の設定項目と他の設定項目が競合関係となる設定値を有する場合
例えば、印画紙スキャンがカラーモードのときに有効な場合、印画紙スキャンと白黒モードとは競合関係となる。
（ｂ）特定の設定項目の設定値が、操作された他の設定項目の設定値に関連して操作される頻度が高いものとして登録されている場合
例えば、両面印刷とＮｉｎ１は１枚の用紙に多くの画像を形成したいという共通の意図により操作される頻度が高い。
【００１３】
「他の設定項目に対して操作がされたとき」とは、例えば、他の設定項目の設定値を選択又は入力する操作がされたときのことである。
【００１４】
「特定の設定項目の設定値を変更可能に表示する」ものとして、例えば、複数の設定値（選択肢）を選択可能に表示してもよく、設定値の入力窓、入力欄、入力枠等を表示してもよく、設定値が割り当てられたスイッチやボタン等の操作手段を表示してもよい。
【００１５】
［第１の実施の形態］
図１は、本発明の第１の実施の形態に係る画像形成装置の制御系を示すブロック図である。この画像形成装置１は、例えば、コピー機能、スキャン機能、プリント機能、ファックス機能等の複数の機能を有する複合機である。画像形成装置１は、制御部２と、記憶部３と、操作表示部４と、画像読取部５と、画像出力部６と、ネットワーク通信部７と、ファクシミリ通信部８とを備える。
【００１６】
制御部２は、ＣＰＵ（Central Processing Unit）、インターフェース等から構成されている。ＣＰＵは、プログラム３０に従って動作することにより、受付手段２０、登録手段２１、表示制御手段２２、実行手段２３等として機能する。各手段２０〜２３の詳細については後述する。
【００１７】
記憶部３は、ＲＯＭ（Read Only Memory）、ＲＡＭ（Random Access Memory）、ハードディスク等から構成され、プログラム３０、設定情報３１（図２参照）、コンフリクト情報３２（図３参照）等を記憶する。設定情報３１には、標準が表示するものとなっている設定項目がカスタマイズ（編集）により非表示とされた設定項目の情報が含まれる。
【００１８】
操作表示部４は、例えば、液晶ディスプレイ等のディスプレイにタッチパネルが重合配置された構成を有し、表示画面に設定画面等の情報を表示するとともに、操作者からタッチパネルへの操作を受け付ける。
【００１９】
画像読取部５は、例えばスキャナと、自動原稿送り装置とを備え、原稿台上に配置された原稿、又は自動原稿送り装置から送られた原稿から画像を読み取る。
【００２０】
画像出力部６は、例えば電子写真方式、インクジェット方式等により用紙等の記録媒体に画像を形成して出力する。画像出力部６は、画像読取部５によって読み取られた画像、又はユーザ端末装置からネットワークを介して送信され、ネットワーク通信部７により受信された印刷ジョブに含まれる画像を記録媒体に形成して出力する。
【００２１】
ネットワーク通信部７は、例えばＮＩＣ（Network Interface Card）等によって実現され、ネットワークを介して外部と通信する。ネットワーク通信部７は、選択された機能によっては、画像読取部５により読み取られた画像をネットワークを介してユーザ端末装置に送信する。また、ネットワーク通信部７は、例えば、ユーザ端末装置からネットワークを介して送信される印刷ジョブを受信する。
【００２２】
ファクシミリ通信部８は、Ｇ３、Ｇ４等のファクシミリプロトコルに従って画像データの変復調を行うモデムの機能と公衆回線網との接続制御を行うＮＣＵの機能を有し、公衆回線網を介してＦＡＸ送受信を行う。
【００２３】
図２は、設定情報３１の一例を示す図である。設定情報３１は、機能を設定するための設定項目に対し、デフォルトの設定値が記録されるデフォルト設定値、及び当該設定項目を表示するか非表示とするかの情報を対応付けたものである。設定情報３１には、コピー等の機能名が記録される「機能」欄、機能に対応する設定項目が記録される「設定項目」欄、デフォルトの設定値が記録される「デフォルト設定値」欄、設定項目を操作表示部４の表示画面に表示するか否かの情報として、表示する場合は「０」、表示しない場合は「１」が記録される「非表示フラグ」欄が設けられている。「非表示フラグ」欄に「１」が記録されて非表示に設定された設定項目を、以下、「特定の設定項目」ともいう。設定項目を非表示とすることにより、対応する機能の設定画面の初期画面に当該設定項目が表示されなくなり、操作表示部４の表示画面に表示する設定項目の数を減らすことができる。言い換えると、表示する設定項目の数が減れば、表示画面を小型化にできる。
【００２４】
図３は、コンフリクト情報３２の一例を示す図である。 コンフリクト情報３２には、機能ごとに、コンフリクトとなる関係を有する設定項目及びその設定値が記録される。コンフリクト情報３２には、コピー等の機能名が記録される「機能」欄、コンフリクトとなる関係を有する一方の設定項目及び設定値が記録される「設定項目：設定値」欄、コンフリクトとなる関係を有する他方の設定項目及び設定値が記録される「設定項目：設定値」欄が設けられている。
【００２５】
受付手段２０は、操作表示部４の表示画面に対して選択された設定項目、及び選択又は入力された設定値等の情報を受け付ける。
【００２６】
登録手段２１は、非表示設定画面（図１９参照）に対する操作により、標準が表示するものとなっている設定項目がカスタマイズ（編集）されて非表示とされた設定項目の情報を設定情報３１として記憶部３に登録する。ここで、標準が表示するものとなっている設定項目とは、利用者による設定操作を受け付けなくとも表示される状態となっている設定項目を指し、例えば、工場出荷時の設定項目や機器をリセットした後に表示される設定項目を指す。別の言い方をすれば、カスタマイズされる前の設定項目をいう。
【００２７】
表示制御手段２２は、非表示の特定の設定項目に関連する他の設定項目に対して操作がされたとき、特定の設定項目の設定値を変更可能に操作表示部４の表示画面に表示するよう制御する。表示制御のタイミングとしては他の設定項目に対する操作が行われたときであり、他の設定項目が単に利用者により触れることにより選択されたタイミング、他の設定項目が設定値の入力を要する項目の場合は設定項目の入力が開始したタイミングおよび終了したタイミングなどでもよい。具体的には、表示制御手段２２は、特定の設定項目を他の設定項目とは異なる態様で表示するよう制御する。すなわち、表示制御手段２２は、異なる態様として、特定の設定項目を他の設定項目が表示されている第１領域とは異なる第２領域に表示し、少なくとも第１領域の一部と第２領域を同時に表示するよう制御する。表示制御手段２２は、特定の設定項目を第１領域に重なるように配置された第２領域に表示してもよく、他の設定項目を表示している第１領域を変形又は移動させて特定の設定項目を表示する第２領域を確保し、第２領域に特定の設定項目を表示してもよく、特定の設定項目を他の設定項目を表示する画面構成を変更して他の設定項目に隣接する位置に挿入して表示してもよい。さらに、表示制御手段２２は、例えば、スクロールのように、画面の表示領域を移動させることで特定の設定項目の設定値を変更可能に表示するよう制御してもよい。
【００２８】
表示制御手段２２は、設定値が変更可能に表示された特定の設定項目の設定値が変更された後、画面構成を前記特定の設定項目を表示する前の状態に戻すことが好ましい。ここでいう表示する前の状態に戻す方法の一例として、表示制御手段２２は、設定値が変更可能に表示された特定の設定項目の設定値が変更された後、特定の設定項目を非表示としてもよい。
【００２９】
実行手段２３は、ユーザにより選択された機能を、設定された設定項目及び設定値に従い、画像読取部５や画像出力部６を制御して実行する。
【００３０】
（画像形成装置の動作）
次に、画像形成装置１の動作の一例について図４乃至図１２を参照して説明する。 図４（ａ）は、メニュー画面の一例を示す図、図４（ｂ）は、コピー設定画面の一例を示す図である。図５乃至図１２は、図４（ｂ）に示すコピー設定画面の要部を示す図である。なお、以下の動作は、特に記述がない限り、表示制御手段２２が行うものとする。
【００３１】
（１）機能の選択
ユーザが画像形成装置１を起動すると、図４（ａ）に示すように、操作表示部４の表示画面に初期画面としてメニュー画面１００が表示される。このメニュー画面１００には、画面名としてメニュー画面が表示される画面名表示領域１４、複数の機能を実行させるための複数のボタン、例えば、コピーを実行させるための「コピー」ボタン１０１、スキャンにより得られた画像をユーザ端末装置に送信させるための「スキャン（ＰＣ送信）」ボタン１０２、スキャンにより得られた画像を装置１内部のボックスに保存させる「スキャン（ボックス保存）」ボタン１０３、ファックスを実行させるための「ファックス」ボタン１０４が設けられている。ここでユーザがメニュー画面１００から「コピー」ボタン１０１をタッチしてコピーを選択したとする。操作表示部４の表示画面にコピー設定画面が表示される。
【００３２】
（２）コピー設定画面の表示
図４（ｂ）は、操作表示部４の表示画面に表示されたコピー設定画面の初期画面の一例を示す図である。図４（ｂ）に示すコピー設定画面１０の初期画面には、画面名のコピー設定画面が表示される画面名表示領域１４と、複数の行１１０が連続して縦方向に配列された項目表示領域１１が設けられている。各行１１０には、複数の設定項目Ａ、Ｅ、Ｄ、Ｃ、及び各設定項目Ａ、Ｅ、Ｄ、Ｃに対する設定値ａ１、ｅ１、ｄ１、ｃ１が表示されている。
【００３３】
図４（ｂ）に示すコピー設定画面１０には、「実行」ボタン１０３が設けられている。ユーザが「実行」ボタン１０３を操作すると、コピーに関する設定項目の設定値が確定する。実行手段２３は確定された設定項目の設定値に従い、画像読取部５及び画像出力部６を制御してコピーを実行する。画像読取部５は、原稿台上に配置された原稿、又は自動原稿送り装置から送られた原稿から画像を読み取る。画像出力部６は、画像読取部５によって読み取られた画像を、確定された設定項目の設定値に基づいて記録媒体に形成して出力する。
【００３４】
コピーの内容を設定するための設定項目として、設定項目Ａ、Ｂ、Ｃ、Ｄ、Ｅが設けられているものとする。また、設定項目Ｂは、コピー設定画面１０の初期画面に表示されないように設定された特定の設定項目（以下「非表示の設定項目」ともいう。）とする。また、設定項目Ｅの設定値がデフォルトとして設定値ｅ１に、設定項目Ｂの設定値がデフォルトとして設定値ｂ２に設定されているものとする。また、設定項目Ｅの設定値ｅ２と設定項目Ｂの設定値ｂ２とが互いにコンフリクトの関係にあるとする。ここで、設定項目Ｂは、特定の設定項目の一例である。設定項目Ｅは、特定の設定項目との間でコンフリクトとなる設定値を有する他の設定項目の一例である。項目表示領域１１は、他の設定項目が表示される第１領域の一例である。
【００３５】
この場合、非表示の設定項目Ｂの設定値ｂ２のまま設定項目Ｅの設定値ｅ１を設定値ｅ２に変更すると、設定項目Ｅの設定値ｅ２と設定項目Ｂの設定値ｂ２とが互いにコンフリクトすることになる。そこで、本実施の形態では、設定項目Ｅの設定値ｅ１を変更しようとしてユーザが設定項目Ｅをタッチした場合には、設定項目Ｂを表示して設定項目Ｂの設定値ｂ２を変更することを促す表示を行うようにしたものである。
【００３６】
図４（ｂ）に示すコピー設定画面１０の初期画面には、設定項目Ｂは、上述したように非表示として設定されたものであるため、表示されていない。
【００３７】
（３）他の設定項目の操作
図５（ａ）に示すように、ユーザが設定項目Ｅの設定値ｅ１を変更するために設定項目Ｅの行１１０ａをタッチして選択すると、当該行１１０ａが薄いグレーで表示されたグレーアウトとなる。当該行１１０ａをグレーアウトとすることにより、ユーザには設定項目Ｅが操作対象から外れたと認識させることができる。なお、設定値ｅ２が初期値の場合、図４（ｂ）に示すコピー設定画面１０が選択されたときにグレーアウトさせてもよい。後述する図１３（ｂ）に示すコピー設定画面１０の設定項目Ｅのトグルスイッチ１１１ａの場合も同様である。タッチする前にユーザに設定項目Ｅが操作対象から外れていることを認識させることができる。
【００３８】
選択された行１１０ａがグレーアウトとなった後、又はグレーアウトとなったと同時に項目表示領域１１の下側にメッセージ表示領域１２が表示される。メッセージ表示領域１２には、例えば「設定項目Ｅを変更したい場合、設定項目Ｂの設定値をｂ２以外に変更してください」のメッセージ１２０ａが表示される。
【００３９】
（４）特定の設定項目の表示
続いて、図５（ｂ）に示すように、非表示の設定項目Ｂの行１１０ｂが選択した設定項目Ｅの行１１０ａから少しずつ現れ、図５（ｃ）に示すように、設定項目Ｂの行１１０ｂ全体が設定項目Ｅの行１１０ａに隣接した位置に挿入されて現れる。このときはまだ設定項目Ｂの設定値はｂ２になっている。
【００４０】
（５）設定値の変更
次に、ユーザが設定項目Ｂの設定値ｂ２を、図５（ｄ）に示すように、他の設定値、例えばｂ１に変更する。設定項目Ｅと設計項目Ｂはコンフリクトが解消されるため、設定項目Ｅの行１１０ａのグレーアウトが消える。次に、図５（ｅ）に示すように、設定項目Ｅの設定値をｅ１からｅ２に変更する。
【００４１】
設定項目Ｅの設定値ｅ１からｅ２に変更されると、図５（ｆ）に示すように、設定項目Ｂの行１１０ｂは現れた方向と逆の方向に徐々に設定項目Ｅの行１１０ａの裏に隠れて非表示となる。設定値の変更に際して特定の設定項目を表示するための操作や設定値の変更後に特定の設定項目を元の非表示とするための操作は不要である。
【００４２】
（変形例１）
図６は、変形例１を示す図である。図５（ａ）と同一の画面を示す図６（ａ）に示すように、ユーザが設定項目Ｅの設定値ｅ１を変更するために設定項目Ｅの行１１０ａをタッチして選択すると、項目表示領域１１の下側にメッセージ表示領域１２が現れる。その後、図６（ｂ）に示すように、メッセージ表示領域１２が消えて、表示されていなかった設定項目Ｂの行１１０ｂを項目表示領域１１の最後の行に表示する。
【００４３】
（変形例２）
図７は、変形例２を示す図である。図５（ａ）と同一の画面を示す図７（ａ）に示すように、ユーザが設定項目Ｅの設定値ｅ１を変更するために設定項目Ｅの行１１０ａをタッチして選択すると、項目表示領域１１の下側にメッセージ表示領域１２が現れる。その後、図７（ｂ）に示すように、メッセージ表示領域１２が消えて、表示されていなかった設定項目Ｂの行１１０ｂを項目表示領域１１から下方に離れた位置に表示してもよい。項目表示領域１１は、第１領域の一例である。設定項目Ｂの行１１０ｂが表示された領域は、第１領域とは異なる第２領域の一例である。同図に示す設定項目Ｂの行１１０ｂは、「一時的に表示しているリスト」のコメントが添えられ、項目表示領域１１に表示される他の設定項目とは異なる態様で表示されている。
【００４４】
（変形例３）
図８は、変形例３を示す図である。図８（ａ）に示すように、ユーザが設定項目Ｅの設定値ｅ１を変更するために設定項目Ｅの行１１０ａをタッチして選択すると、図８（ｂ）に示すように、メッセージ表示領域１２が項目表示領域１１の前面に上位レイヤの画面として表示される。図８（ｂ）に示すメッセージ表示領域１２には、例えば「設定項目Ｂ、Ｚの設定値を変更しないと設定項目Ｅの設定値を変更できません。設定項目Ｂ、Ｚの設定値を変更しますか？  はい・いいえ」のメッセージ１２０ｂが表示される。ユーザが「はい」を選択すると、図８（ｃ）に示すように、メッセージ表示領域１２の代わりにコンフリクト一覧画面１３が項目表示領域１１の前面に上位レイヤとして表示される。ここでは、設定項目Ｅとコンフリクトする設定項目Ｂ、Ｚが表示される。上位レイヤは第２領域の一例である。
【００４５】
ユーザが設定項目Ｂの「変更」ボタン１３ａを操作して設定項目Ｂの設定値をｂ１に変更し、設定項目Ｚの「変更」ボタン１３ｂを操作して設定項目Ｂの設定値をｚ１に変更する。その後は、前述したように設定項目Ｅの設定値ｅ１が変更可能となる。
【００４６】
なお、図８（ａ）に示す画面の後、図８（ｄ）に示すように、項目表示領域１１に一部が重なるようにメッセージ表示領域１２を表示してもよい。図８（ｄ）に示すメッセージ表示領域１２には、例えば「設定項目Ｂの設定値をＯＦＦにすれば設定可能です。変更しますか？  はい／いいえ」のメッセージ１２０ｃが表示される。「設定値をＯＦＦ」とは、設定項目の設定値が２つしかない場合に、一方の設定値をＯＮ、他方の設定値をＯＦＦに対応するものである。「はい」を選択すると、設定項目Ｂが表示され、設定項目Ｂの設定値の変更（ＯＮからＯＦＦ）が可能になる。
【００４７】
（変形例４）
図９は、変形例４を示す図である。図９（ａ）に示すように、ユーザが設定項目Ｅの設定値ｅ１を変更するために設定項目Ｅの行１１０ａをタッチして選択すると、図９（ｂ）に示すように、項目表示領域１１の形状が変わって面積が減り、右側の領域にメッセージ表示領域１２が表示される。メッセージ表示領域１２には、例えば「設定項目Ｂがコンフリクトしています。設定項目Ｅの設定値を変更しますか？ｏｒ設定項目Ｂを表示しますか？  はい／いいえ」のメッセージ１２０ｄが表示される。「はい」を選択された場合、設定項目Ｂの設定値の変更画面を項目表示領域１１の右側の領域に表示してもよい。
【００４８】
（変形例５）
図１０は、変形例５を示す図である。図５（ａ）と同一の画面を示す図１０（ａ）に示すように、ユーザが設定項目Ｅの設定値ｅ１を変更するために設定項目Ｅの行１１０ａをタッチして選択すると、項目表示領域１１の下側にメッセージ表示領域１２が現れる。その後、図１０（ｂ）に示すように、設定項目Ｅの行１１０ａの右側に設定項目Ｂの設定値ｂ２が徐々に現れる。最後には、図１０（ｃ）に示すように、設定項目Ｅの行１１０ａが設定項目Ｂの行１１０ｂに入れ替わる。その後、設定項目Ｂの設定値ｂ２をｂ１に変更すると、設定項目Ｂの行１１０ｂが設定項目Ｅの行１１０ａに入れ替わり、設定項目Ｅの設定値ｅ１をｅ２に変更してもよい。
【００４９】
（変形例６）
図１１は、変形例６を示す図である。図５（ａ）と同一の画面を示す図１１（ａ）に示すように、ユーザが設定項目Ｅの設定値ｅ１を変更するために設定項目Ｅの行１１０ａをタッチして選択すると、項目表示領域１１の下側にメッセージ表示領域１２が現れる。その後、図１１（ｂ）に示すように、設定項目Ｅの行１１０ａの右半分に設定項目Ｂの設定値ｂ２が表示される。設定項目Ｅと設定項目Ｂが同じ行に表示されているため、設定値の変更ミスが生じにくい。
【００５０】
（変形例７）
図１２は、変形例７を示す図である。図５（ｅ）と同一画面を示す図１２（ａ）に示すように、設定項目Ｂの設定値ｂ２をｂ１に変更し、設定項目Ｅの設定値ｅ１をｅ２に変更した後、図１２（ｂ）に示すように、メッセージ表示領域１２を項目表示領域１１の前面に上位レイヤとして表示し、例えば「次回以降設定項目Ｂをデフォルトで表示するように変更しますか？  はい・いいえ」のメッセージ１２０ｅを表示してもよい。「はい」を選択すると、設定項目Ｂが非表示の設定項目でなくなり、コピー設定画面の初期画面に設定項目Ｂが表示されるようになる。
【００５１】
［第２の実施の形態］
図１３は、本発明の第２の実施の形態に係るメニュー画面の一例を示す図である。なお、図１３（ａ）は、第１の実施の形態を示す図４（ａ）と同一画面である。
【００５２】
メニュー画面１００から「コピー」ボタン１０１をタッチして選択すると、図１３（ｂ）に示すように、コピー設定画面１０の初期画面が表示される。
【００５３】
図１３（ｂ）に示すコピー設定画面１０には、設定項目Ａ、Ｃ、Ｄ、Ｅの設定値を変更する複数のトグルスイッチ１１１が表示されている。各設定項目Ａ、Ｃ、Ｄ、Ｅは、２の設定値を有する。ＯＮのときに一方の設定値が選択され、ＯＦＦのときに他方の設定値が選択される。
【００５４】
図１３（ｂ）に示すコピー設定画面１０の初期画面には、設定項目Ｂのトグルスイッチ１１１は、非表示として設定されたものであるため、表示されていない。
【００５５】
図１４（ａ）に示すように、ユーザが設定項目Ｅの設定値ｅ１を変更するために設定項目Ｅのトグルスイッチ１１１ａをタッチして選択すると、当該トグルスイッチ１１１ａが薄いグレーで表示されたグレーアウトとなる。当該トグルスイッチ１１１ａをグレーアウトとすることにより、ユーザには設定項目Ｅが操作対象から外れたと認識させることができる。
【００５６】
選択されたトグルスイッチ１１１ａがグレーアウトとなった後、又はグレーアウトとなったと同時に画面名表示領域１４がメッセージ表示領域１２に入れ替わる。メッセージ表示領域１２には、例えば「表示されていない設定項目Ｂとコンフリクトしています。設定項目Ｂの設定画面を一時的に表示しますか？  はい  いいえ」のメッセージ１２０ｆが表示される。「はい」を選択すると、図１４（ｃ）に示すように、設定項目Ｂのトグルスイッチ１１１ｂが設定項目Ｅのトグルスイッチ１１１ａの隣に表示される。
【００５７】
（変形例１）
図１５は、第２の実施の形態に対する変形例１を示す図である。図１３（ｂ）と同一画面の図１５（ａ）に示すコピー設定画面１０に対し、設定項目Ｅのトグルスイッチ１１１ａを選択すると、図１５（ｂ）に示すように、設定項目Ｂの設定値変更画面１５を表示してもよい。設定項目Ｂの設定値変更画面１５には、設定項目Ｂの設定値ｂ１、ｂ２が表示されている。設定値ｂ２は設定項目Ｅの設定値ｅ２とコンフクリクトするため、グレーアウトしている。ユーザは設定項目Ｂのグレーアウトしていない方の設定値ｂ１を選択する。その後、設定項目Ｂの設定値変更画面１５が消えて、図１５（ａ）に示す画面で設定項目Ｅのトグルスイッチ１１１ａをＯＦＦにしてもよい。
【００５８】
（変形例２）
図１６は、第２の実施の形態に対する変形例２を示す図である。図１４（ａ）と同一画面の図１６（ａ）に示すように、設定項目Ｅのトグルスイッチ１１１ａを選択すると、図１６（ｂ）に示すように、画面名表示領域１４がメッセージ表示領域１２ａに入れ替わる。また、項目表示領域１１の面積が小さくなり、２つ目のメッセージ表示領域１２ｂが表示される。２つ目のメッセージ表示領域１２ｂには、例えば「設定項目Ｂがコンフリクトしています。設定項目Ｅの設定値を変更しますか？ｏｒ設定項目Ｂを表示しますか？  はい／いいえ」のメッセージ１２０ｄが表示される。「はい」が選択されると、設定項目Ｂの設定値の変更画面を２つ目のメッセージ表示領域１２ｂと入れ替えて表示してもよい。
【００５９】
図１７は、第２の実施の形態に係る変形例３のコピー設定画面の一例を示す図である。図１７（ａ）は、図１４（ａ）と同一画面である。設定項目Ｅのトグルスイッチ１１１ａを操作すると、図１７（ｂ）に示すように、設定項目Ｅのトグルスイッチ１１１ａに設定項目Ｂのトグルスイッチが合成されたトグルスイッチ１１１ｃとなる。このトグルスイッチ１１１ｃで設定項目Ｂの設定値ｂ２をｂ１に変更すれば、設定項目Ｅの設定値ｅ１をｅ２に変更することができる。
【００６０】
［第３の実施の形態］
図１８は、本発明の第３の実施の形態に係るメニュー画面の一例を示す図である。図１８に示すメニュー画面１００には、機能を選択するための、「コピー」ボタン１０１、「スキャン（ＰＣ送信）」ボタン１０２、「スキャン（ボックス保存）」ボタン１０３、「ファックス」ボタン１０４等の他に、「スキャン非表示設定」ボタン１０５が表示されている。「スキャン非表示設定」ボタン１０５を操作すると、図１９に示すようにスキャン非表示設定画面１３０が操作表示部４に表示される。
【００６１】
図１９は、スキャン非表示設定画面１３０の一例を示す図である。スキャン非表示設定画面１３０は、スキャンの設定項目を非表示とするためのものである。本画像形成装置が有する機能の一つであるスキャンには、例えば、同図に示すように、印画紙スキャン、読み取り倍率、カラーモード、地色除去、読み込み濃度、裏写り防止等の設定項目１３１が設けられている。印画紙スキャン１３１ａは、カラーモードにおいて有効になっており、白黒モードでは無効となる。すなわち印画紙スキャンと白黒モードとはコンフリクトの関係になる。なお、通常スキャン／印画紙スキャンのうち普通紙スキャンが初期値に設定され、白黒モード／カラーモードのうち白黒モードが初期値に設定されているものとする。
【００６２】
同図に示すように、「読み取り倍率」の設定項目を「表示しない」（非表示）に設定し、「カラーモード」の設定項目を「表示しない」（非表示）に設定し、「保存」ボタン１３２を操作すると、設定内容が保存される。図１８に示すメニュー画面１００において「スキャン（ＰＣ送信）」ボタン１０２、及び「スキャン（ボックス保存）」ボタン１０３を選択すると、図２０に示すように非表示の設定が反映したスキャン設定画面１４０が操作表示部４に表示される。なお、図１９に示す「取消」ボタン１３３は、変更した操作が取消となる。
【００６３】
図２０は、図１９のスキャン非表示設定画面１３０に対応するスキャン設定画面の一例を示す図である。スキャン設定画面１４０では、「読み取り倍率」の設定項目及び「カラーモード」の設定項目が非表示となっている。「スキャン開始」ボタン１４２を操作すると、スキャン（ＰＣ送信）又はスキャン（ボックス保存）が開始する。
【００６４】
図２０に示すスキャン設定画面１４０で「しない」（普通紙スキャン）が初期値として設定されている「印画紙スキャン」の設定項目１４１ａを選択すると、白黒モード／カラーモードの初期値の白黒モードの設定値とコンフリクトするため、図２１に示すように、「印画紙スキャン」の設定項目１４１ａがグレーアウトとなる。「印画紙スキャンを行う場合はカラーモードをフルカラーに設定してください」のメッセージ１２０ｇが表示される。
【００６５】
次に、図２２に示すように、「白黒」が初期値として設定されている白黒モード／カラーモードの設定項目１４１ｂが「印画紙スキャン」の設定項目１４１ａの隣に現れる。「白黒モード／カラーモード」の設定項目１４１ｂの「白黒」を「カラー」に変更すると、「印画紙スキャン」の設定項目１４１ａがグレーアウトが消え、「印画紙スキャン」の設定項目１４１ａを「する」の設定値に変更することができる。
【００６６】
［他の実施の形態］
以上、本発明の実施の形態を説明したが、本発明の実施の形態は上記実施の形態に限定されるものではなく、本発明の要旨を変更しない範囲内で種々の変形、実施が可能である。例えば、非表示の特定の設定項目に関連する他の設定項目として、上記実施の形態では、特定の設定項目と他の設定項目が競合関係となる設定値を有する場合について説明したが、特定の設定項目の設定値が、操作された他の設定項目の設定値に関連して操作される頻度が閾値以上に高い場合に、両者の設定項目及び設定値を記憶部３が記憶するテーブルに予め登録しておき、テーブルに登録されている他の設定項目の設定値が操作された場合に、非表示の特定の設定項目の設定値を変更可能に表示してもよい。
【００６７】
制御部２の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６９】
１…画像形成装置、２…制御部、３…記憶部、４…操作表示部、５…画像読取部、６…画像出力部、７…ネットワーク通信部、８…ファクシミリ通信部、１０…コピー設定画面、１１…項目表示領域、１２…メッセージ表示領域、１３…コンフリクト一覧画面、１３ａ、１３ｂ…「変更」ボタン、１４…画面名表示領域、１５…設定値変更画面、２０…受付手段、２１…登録手段、２２…表示制御手段、２３…実行手段、３０…プログラム、３１…設定情報、３２…コンフリクト情報、１００…メニュー画面、１０１…「コピー」ボタン、１０２…「スキャン（ＰＣ送信）」ボタン、１０３…「スキャン（ボックス保存）」ボタン、１０４…「ファックス」ボタン、１０５…「スキャン非表示設定」ボタン、１１０、１１０ａ、１１０ｂ…行、１１１、１１１ａ、１１１ｂ…トグルスイッチ、１２０ａ-１２０ｇ…メッセージ、１３０…スキャン非表示設定画面、１３１…設定項目、１３１ａ…印画紙スキャン、１３１ｂ…カラーモード、１３２…「保存」ボタン、１３３…「取消」ボタン、１４０…スキャン設定画面、１４１ａ、１４１ｂ…設定項目、１４２…「スキャン開始」ボタン
【図１】
2019003491.tif 000003
【図２】
2019003491.tif 000004
【図３】
2019003491.tif 000005
【図４】
2019003491.tif 000006
【図５Ａ】
2019003491.tif 000007
【図５Ｂ】
2019003491.tif 000008
【図６】
2019003491.tif 000009
【図７】
2019003491.tif 000010
【図８】
2019003491.tif 000011
【図９】
2019003491.tif 000012
【図１０】
2019003491.tif 000013
【図１１】
2019003491.tif 000014
【図１２】
2019003491.tif 000015
【図１３】
2019003491.tif 000016
【図１４】
2019003491.tif 000017
【図１５】
2019003491.tif 000018
【図１６】
2019003491.tif 000019
【図１７】
2019003491.tif 000020
【図１８】
2019003491.tif 000021
【図１９】
2019003491.tif 000022
【図２０】
2019003491.tif 000023
【図２１】
2019003491.tif 000024
【図２２】
2019003491.tif 000025